(57)【要約】【課題】遊技機の収納箱に対する不正な行為を防止する機構の簡素化と経済性を図る。【解決手段】箱側ロック機構６４の縦突起部８２および横突起部８３が台側ロック機構６３における複数の介在物６５を取出不能に収納した台側収納容器８０の内部にロック挿入孔８１を経由して下方から上方に挿入され、収納箱６０が取付台５５に台側係合機構６１と箱側係合機構６２との下方から上方への移動による摺接係合によって取り付けられるのに伴い、横突起部８３が複数の介在物６５を押し分けて介在物６５よりも上方に位置した状態において、収納箱６０が上方から下方に移動された場合、横突起部８３が介在物６５を台側収納容器８０の内部に不動となるように介在物６５と係合し、収納箱６０が取付台５５から取り外されるのを防止している。【選択図】図１
2006167045.tif 000002
【特許請求の範囲】
【請求項１】
遊技機に取付台を設け、取付台に台側係合機構を設け、収納箱に箱側係合機構を設け、箱側係合機構と台側係合機構との下方から上方への移動による摺接係合によって、収納箱が取付台に取り付けられる一方、取付台に取り付けられた収納箱が上方から下方に移動されるのに伴い上記箱側係合機構と台側係合機構との摺接係合による係合が解除されることによって、収納箱が取付台から取り外される遊技機の収納箱取付装置において、取付台に台側ロック機構を設け、収納箱に箱側ロック機構を設け、台側ロック機構は球体または円盤からなる複数の介在物を取出不能に収納する台側収納容器と台側収納容器の下部に複数の介在物の落下不能な大きさに設けられたロック挿入孔とを有し、箱側ロック機構は収納箱から上方に突出する縦突起部と縦突起部の上端部から横方向に突出する横突起部とを有し、収納箱が取付台に箱側係合機構と台側係合機構との一方向への移動による摺接係合によって取り付けられるのに伴う上記箱側係合機構と台側係合機構との摺接係合による下方から上方の移動によって、箱側ロック機構がロック挿入孔から台側収納容器の内部に進入し、箱側ロック機構の横突起部が複数の介在物を押し分けて複数の介在物よりも上方に突出し、収納箱が上方から下方に移動された場合、箱側ロック機構の横突起部が台側収納容器の内部に収納された球体または円盤からなる複数の介在物に衝突して球体または円盤からなる複数の介在物を台側収納容器の内部に不動となるように球体または円盤からなる複数の介在物と係合して収納箱の取付台からの取り外しを防止することを特徴とする遊技機の収納箱取付装置。
【請求項２】
台側収納容器の内部に収納された球体または円盤からなる複数の介在物の個数が２個であることを特徴とする請求項１記載の遊技機の収納箱取付装置。
【請求項３】
遊技機が球体を遊技媒体として使用する遊技機の場合に複数の介在物として遊技媒体としての球体を用いたことを特徴とする請求項１記載の遊技機の収納箱取付装置。
【請求項４】
遊技機が円盤を遊技媒体として使用する遊技機の場合に複数の介在物として遊技媒体としての円盤を用いたことを特徴とする請求項１記載の遊技機の収納箱取付装置。
【発明の詳細な説明】
【技術分野】
【０００１】
本発明は、遊技機の収納箱に対する不正な行為を防止する機構が簡素かつ経済的な取付装置に関する。
【背景技術】
【０００２】
遊技機の１つであるパチンコ球と呼ばれる球体を遊技媒体として使用するパチンコ機には、遊技機枠または遊技機枠に装着される遊技盤に取り付けられた取付台に台側係合機構を設け、電気部品の実装された回路基板を収納した収納箱に箱側係合機構を設け、箱側係合機構が台側係合機構に上方から下方に嵌め込まれることによって、収納箱が取付台に取り付けられている。そして、収納箱の取付台から取り外されるのを邪魔する機械的な邪魔板、邪魔板が取付台から取り外されるのを電気的に検出するセンサ、電気ロックを取付台に設け、収納箱の内部に回路基板に実装されたＲＯＭが不正ＲＯＭに交換されるような不正行為を防止するものが知られている。しかしながら、邪魔板なる機械的な機構と、センサや電気ロックなる電気的な機構とを併用するので、構造が複雑であるうえ、パチンコ機が遊技店に設置されている期間、四六時中、電気を使用することから、不経済であるという欠点がある。
【特許文献１】特開平１１−９００１２号公報
【発明の開示】
【発明が解決しようとする課題】
【０００３】
発明が解決しようとする問題点は、構造が複雑であるうえ、不経済であるという点である。
【課題を解決するための手段】
【０００４】
本発明に係る遊技機の収納箱取付装置は、遊技機に取付台を設け、取付台に台側係合機構を設け、収納箱に箱側係合機構を設け、箱側係合機構と台側係合機構との下方から上方への移動による摺接係合によって、収納箱が取付台に取り付けられる一方、取付台に取り付けられた収納箱が上方から下方に移動されるのに伴い上記箱側係合機構と台側係合機構との摺接係合による係合が解除されることによって、収納箱が取付台から取り外される遊技機の収納箱取付装置において、取付台に台側ロック機構を設け、収納箱に箱側ロック機構を設け、台側ロック機構は球体または円盤からなる複数の介在物を取出不能に収納する台側収納容器と台側収納容器の下部に複数の介在物の落下不能な大きさに設けられたロック挿入孔とを有し、箱側ロック機構は収納箱から上方に突出する縦突起部と縦突起部の上端部から横方向に突出する横突起部とを有し、収納箱が取付台に箱側係合機構と台側係合機構との一方向への移動による摺接係合によって取り付けられるのに伴う上記箱側係合機構と台側係合機構との摺接係合による下方から上方の移動によって、箱側ロック機構がロック挿入孔から台側収納容器の内部に進入し、箱側ロック機構の横突起部が複数の介在物を押し分けて複数の介在物よりも上方に突出し、収納箱が上方から下方に移動された場合、箱側ロック機構の横突起部が台側収納容器の内部に収納された球体または円盤からなる複数の介在物に衝突して球体または円盤からなる複数の介在物を台側収納容器の内部に不動となるように球体または円盤からなる複数の介在物と係合して収納箱の取付台からの取り外しを防止することを最も主要な特徴とする。本発明に係る遊技機の収納箱取付装置において、台側収納容器の内部に収納された球体または円盤からなる複数の介在物の個数が２個であったり、遊技機が球体を遊技媒体として使用する遊技機の場合に複数の介在物として遊技媒体としての球体を用いたり、遊技機が円盤を遊技媒体として使用する遊技機の場合に複数の介在物として遊技媒体としての円盤を用いたりしてもよい。
【発明の効果】
【０００５】
本発明に係る遊技機の収納箱取付装置は、箱側ロック機構の縦突起部および横突起部が台側ロック機構における複数の介在物を取出不能に収納した台側収納容器の内部にロック挿入孔を経由して下方から上方に挿入され、収納箱が取付台に箱側係合機構と台側係合機構との下方から上方への移動による摺接係合によって取り付けられるのに伴い、横突起部が複数の介在物を押し分けて介在物よりも上方に位置した状態において、収納箱が上方から下方に移動された場合、横突起部が介在物を台側収納容器の内部に不動となるように介在物と係合し、収納箱が取付台から取り外されるのを防止するので、収納箱を取付台から簡単に取り外すことができないという利点がある。本発明に係る遊技機の収納箱取付装置において、複数の介在物の個数が２個であれば、構造が簡単となるという利点がある。本発明に係る遊技機の収納箱取付装置において、遊技機が球体を遊技媒体として使用する遊技機の場合に複数の介在物として遊技媒体としての球体を用いたり、遊技機が円盤を遊技媒体として使用する遊技機の場合に複数の介在物として遊技媒体としての円盤を用いたりすれば、遊技機に安価に適用することができるという利点がある。
【発明を実施するための最良の形態】
【０００６】
図１乃至図１５は、遊技機の１つであるパチンコ機を例とした発明を実施するための最良の形態である。図１のａ図は、遊技機の収納箱取付装置の要部を横に断面して裏側から示す。図１のｂ図は、遊技機の収納箱取付装置の要部をａ図のＢ−Ｂ線に相当する切断線で縦に切断した断面を示す。図２は、遊技機の収納箱取付装置を分解して裏側から示す。図３は、遊技機の収納箱取付装置の要部を分解して裏側から示す。図４ａ図およびｂ図は、遊技機の収納箱取付装置の内部を横に断面して裏側から示す。図５は、遊技機の収納箱取付装置の内部を縦に断面して示す。図６は、パチンコ機の遊技機枠１と遊技盤４１とを分解して前側から示す。図７は、可動枠３を裏側から示す。図８乃至図１２は遊技機の収納箱取付装置の作用を示す。この明細書において、「前」、「後」、「裏」、「左」、「右」、「上」、「下」の方向は、図６の状態に遊技機枠１および遊技盤４１を置いて矢印Ａで示す前側から見た場合に特定される方向である。「後」と「裏」とは同じ方向である。
【０００７】
図６を参照し、パチンコ機における遊技機枠１と遊技盤４１との構造について説明する。遊技機枠１は、固定枠２の前側に可動枠３を左側のヒンジ４で横方向に片開き可能に取り付け、可動枠３の前側に扉５および球皿構造体６を左側のヒンジ７で横方向に片開き可能に取り付けた、構造である。固定枠２は、パチンコ店の図外の遊技機設置構造体に取り付けるための外枠とも呼ばれ、前後方向に貫通した縦長な長方形の空間を囲む額縁形状である。可動枠３は、遊技盤４１を取り付ける前枠とも呼ばれ、前後方向に貫通した縦長な長方形の空間を囲む額縁形状の可動枠本体８から盤収納構造体９を内部に延設する。可動枠本体８の右縦片部には、施錠装置１０と複数のロック機構１１；１２；１３およびロック解除操作体１４が設けられる。盤収納構造体９は、遊技盤４１を装着する前側に開口した盤収納室１５の背壁１６に前後方向に貫通する中央開口部１７を備える。背壁１６の左側部には、盤押圧体１８および盤受止体１９が設けられる。背壁１６の右側部には、盤ロック機構２０が設けられる。盤ロック機構２０は、背壁１６から前側に突出する円筒状の台座の中心にロック操作体２１を回転可能に備える。ロック操作体２１は、台座から前側に突出した操作軸の端部に固定された横長な形態である。盤収納室１５の下縁部は、遊技盤４１を搭載する左右方向に平坦な面としての盤棚２２を形成する。
【０００８】
盤棚２２から下方に延設された盤収納構造体９における前壁２３の前面には、球発射機構２４、球発射レール２５、ファール球取入口２６、払出球中継樋２７が設けられる。球発射レール２５は、球皿構造体６の球供給口３４から供給された１個の球を受け取る。球発射機構２４は、電力供給と遮断とを交互に受けることによって、球皿部３１から球発射レール２５に供給された球を遊技盤４１の遊技領域４１ａに向けて１個ずつ発射する。球発射レール２５は、球発射機構２４から発射された球を、遊技盤４１における発射通路の入口に誘導する。払出球中継樋２７は、可動枠３の裏側に設けられた球払出装置５４（図７参照）から払い出された球を球皿構造体６の球取入口３３に排出する。前壁２３の裏面には、機外排出樋２８が設けられる。機外排出樋２８は、遊技盤４１の裏側から排出された球を受け取って遊技機設置構造体における捕球機構に排出する。扉５は、パネル枠とも呼ばれ、前後方向に貫通する窓２９を囲む額縁形状である。扉５の裏面には、前面パネル３０が窓２９を覆う格好で扉５の裏側から取り付けられる。前面パネル３０は、光を透過する性質の有るガラスまたは合成樹脂などの材料からなる板状である。球皿構造体６の前面には、球皿部３１および発射操作機構３２が設けられる。球皿部３１は、遊技に使用する球を受ける上方に開口した上方から下方に窪む容器である。発射操作機構３２は、遊技者が球を発射するために操作するものである。球皿構造体６の裏面には、球取入口３３および球供給口３４が設けられる。球取入口３３は、払出球中継樋２７から排出された球を球皿部３１に供給する部分である。球供給口３４は、球皿部３１から球発射機構２４に球を供給する部分である。
【０００９】
遊技機枠１では、可動枠３や扉５および球皿構造体６が閉じられてロック機構１１乃至１３で開閉不能に支持された場合、遊技店の店員が図外のキープレート（鍵）を遊技機枠１の前側から施錠装置１０の鍵穴３５に挿入し、当該キープレートを例えば右側に９０度回転操作すると、固定枠２と可動枠３とのロック機構１１による支持形態が解除される。この支持形態の解除後に、店員が可動枠３を前側に引くことによって、可動枠３はヒンジ４を回転中心として前側に片開きされる。また、上記施錠装置１０の鍵穴３５に挿入されたキープレートが例えば左側に９０度回転操作されると、可動枠３と扉５とのロック機構１２による支持形態が解除される。この支持形態の解除後に、店員が扉５を前側に引くことによって、扉５はヒンジ７を回転中心として前側に片開きされる。このように、扉５が前側に開かれた状態において、店員が可動枠３の前面に設けられたロック解除操作体１４を操作すると、可動枠３と球皿構造体６とのロック機構１３による支持形態が解除される。この支持形態の解除後に、店員が球皿構造体６を前側に引くことによって、球皿構造体６はヒンジ７を回転中心として前側に片開きされる。
【００１０】
遊技盤４１の前面には、内ガイドレール４２と外ガイドレール４３とで囲まれた内側の遊技領域４１ａに、入賞部品４４、遊技釘４５、風車４６、サイドラップ４７、飾り部品４８、アウト口４９などの前側部品を備える。飾り部品４８は、センター飾りとも呼ばれる。飾り部品４８の裏側には、画像表示装置が配置される。画像表示装置は、画像表示装置の表示画面に表示された画像が遊技盤４１の前側から飾り部品４８の光を透過する性質の有る合成樹脂からなる保護パネルを通して見えるように、遊技盤の裏面における球案内構造体に取り付けられる。内ガイドレール４２の左側部と外ガイドレール４３の左側部との間に形成された隙間は、球発射通路５０である。球発射通路５０は、球発射機構２４から発射された球を遊技領域４１ａに誘導する。遊技盤４１の右側部には、盤側取付部５１が、上下に位置して設けられる。盤側取付部５１は、ロック挿入孔５２を個別に備える。
【００１１】
遊技盤の裏面には、図示は省略するが、球案内構造体と画像表示装置と取付台と主制御装置および演出制御装置が取り付けられる。球案内構造体は、セット板とも呼ばれ、遊技盤の遊技領域４１ａから裏面に排出されたパチンコ球と呼ばれる球を、下方に誘導して排出する。画像表示装置は、液晶表示器のように電気的に表示形態を変えられる画像を表示画面に表示する図柄表示器とも呼ばれる画像表示器と、画像表示器を制御する図柄制御装置とが、１つの収納箱の内部に装着された構造である。取付台は、主制御装置や演出制御装置を取り付けるものであって、球案内構造体の裏面に取り付けられる。主制御装置は、遊技の全般を制御するものであって、ＣＰＵ、ＲＯＭ、ＲＡＭ、入力インターフェース、出力インターフェースなどのような、電気部品の実装されたプリント配線板からなる回路基板が、光を透過する性質の有る無色な合成樹脂からなる収納箱の内部に格納され、収納箱が開閉できないように封止部で封印された、構造である。演出制御装置は、主制御装置からの出力によって、表示灯やスピーカなどの遊技を演出する部品を制御するものであって、ＣＰＵ、ＲＯＭ、ＲＡＭ、入力インターフェース、出力インターフェースなどのような、電気部品の実装された回路基板が、光を透過する性質の有る無色な合成樹脂からなる収納箱の内部に格納された、構造である。
【００１２】
そして、遊技盤４１は、遊技機枠１に次のように装着される。扉５が可動枠３の前側に開けられた状態において、遊技盤４１の前面が前側に向けられ、遊技盤４１の裏側が遊技機枠１の方向に向けられ、遊技盤４１が遊技機枠１の前側から盤収納室１５に挿入され、遊技盤４１の下部が盤棚２２の上に載せられ、遊技盤４１の左側部が盤押圧体１８と盤受止体１９との間に挿入され、遊技盤４１の左側部が盤押圧体１８で前側に押されつつ盤押圧体１８と盤受止体１９とで前後方向から挟まれた後、遊技盤４１の右側部が作業者によって後側に押されると、盤ロック機構２０のロック操作体２１が盤側取付部５１のロック挿入孔５２に後側から挿入されて前側に突出する。その状態において、作業者がロック操作体２１を例えば左方向に９０度回転操作すると、ロック操作体２１がロック挿入孔５２の周りにおける盤側取付部５１と係合し、遊技盤４１が可動枠３に取り付けられる。このように遊技盤４１が可動枠３に取り付けられた場合、遊技盤の裏面における球案内構造体と画像表示装置と取付台および主制御装置が、中央開口部１７を経由して盤収納構造体９より裏側に突出する。
【００１３】
図７を参照し、可動枠３の裏側の構造について説明する。可動枠３の裏面には、球払出装置５４と取付台５５と電源装置５６および発射払出制御装置５７が設けられる。球払出装置５４は、タンク構造体５８と球払出機構５９および図外の満タン検出機構を備える。そして、パチンコ球と呼ばれる球が、遊技機設置構造体における補給系統からタンク構造体５８の内部に供給された状態において、球払出機構５９の払出駆動源たるステップモータが一方向に回転して球払出機構５９のスプロケットのような球払出体を一方向に回転するのに伴い、球払出体がタンク構造体５８から球払出機構５９の内部に供給された球を１個ずつ分離しつつ下方に払い出し、球払出機構５９の払出球検出器が球払出体から払い出された球を電気的に検出するごとに払出球検出信号を主制御装置および発射払出制御装置５７に出力する。球払出機構５９の払出球検出器を通過した球は、満タン検出機構を経由して払出球中継樋２７（図６参照）に到達する。取付台５５は、電源装置５６および発射払出制御装置５７を取り付けるものであって、可動枠３の前壁２３の裏面に取り付けられる。電源装置５６は、取付台５５の裏面に、右側に位置して取り付けられる。電源装置５６は、遊技機設置構造体における島電源装置と呼ばれる交流トランスから配線で供給された交流電源をパチンコ機の電気部品に使用される複数の異なる直流電源に変換してパチンコ機の電気部品に供給するものであって、電気部品の実装された回路基板が収納箱の内部に格納された構造である。発射払出制御装置５７は、取付台５５の裏面に、左側に位置して取り付けられる。発射払出制御装置５７は、主制御装置からの出力により球発射機構および球払出装置を制御するものであって、ＣＰＵ、ＲＯＭ、ＲＡＭ、入力インターフェース、出力インターフェースなどのような電気部品の実装された回路基板が、光を透過する性質の有る無色な合成樹脂からなる収納箱６０の内部に格納された構造である。
【００１４】
図２を参照し、遊技機の収納箱取付装置の構造について、可動枠３の裏面に取付台５５を介して取り付けられる発射払出制御装置５７を例として説明する。収納箱取付装置は、台側係合機構６１、箱側係合機構６２、台側ロック機構６３、箱側ロック機構６４、介在物６５を備える。台側係合機構６１および箱側係合機構６２は、互いに、一方向への移動による摺接係合によって、収納箱６０を取付台５５に取り付ける一方、摺接係合による一方向の逆方向への移動によって、収納箱６０を取付台５５から取り外すものである。上記一方向への移動は、矢印Ｘ１で示す下方から上方への移動を例とし、一方向の逆方向への移動は、矢印Ｘ２で示す上方から下方への移動を例とする。よって、矢印Ｘ１で示す下方から上方への移動は、収納箱６０の取付台５５への取付方向であり、矢印Ｘ２で示す上方から下方への移動は、収納箱６０の取付台５５からの取外方向である。
【００１５】
台側係合機構６１は、可動枠３の裏面に取り付けられた取付台５５の台主体部６６に、左右方向に離れて相対峙して設けられ、左係合突起６７および右係合突起６８を備える。左係合突起６７および右係合突起６８は、取付台５５の下面から同じ寸法だけ上方に離れた位置に配置される。左係合突起６７は、台主体部６６の裏面から裏側に突出する左縦壁６９における右縦壁７０と対向する側に位置する内側面に、箱側係合機構６２の左係合溝７１を上下方向に移動可能にかつ前後方向にがたつかないように嵌め込む突起として形成される。右係合突起６８は、台主体部６６から裏側に突出する右縦壁７０における左縦壁６９と対向する側に位置する内側面に、箱側係合機構６２の右係合溝７２を上下方向に移動可能にかつ前後方向にがたつかないように嵌め込む溝として形成される。
【００１６】
箱側係合機構６２は、収納箱６０の左側面に設けられた左係合溝７１と、収納箱６０の右側面に設けられた右係合溝７２とからなる。左係合溝７１および右係合溝７２は、互いに、左右方向で対象となる形である。左係合溝７１は、台側係合機構６１の左係合突起６７を上下方向に移動可能にかつ前後方向にがたつかないように嵌め込む溝として形成され、横溝７３と縦溝７４とを備える。横溝７３は、収納箱６０の左側面の前端面および外側に開口し、収納箱６０の左側面の前端面から後側に直線的に延びる。縦溝７４は、収納箱６０の内面に開口し、横溝７３の後端部から下方に直線的に延びる。右係合溝７２は、台側係合機構６１の右係合突起６８を上下方向に移動可能にかつ前後方向にがたつかないように嵌め込む溝として形成され、横溝７５と縦溝７６とを備える。横溝７５は、収納箱６０の右側面の前端面および外側に開口し、収納箱６０の右側面の前端面から後側に直線的に延びる。縦溝７６は、収納箱６０の右側面の外側に開口し、横溝７５の後端部から下方に直線的に延びる。
【００１７】
そして、収納箱６０が人によって支持され、箱側係合機構６２における左係合溝７１の横溝７３および右係合溝７２の横溝７５が台側係合機構６１における左係合突起６７および右係合突起６８に取付台５５の裏側から前側に向けて直線的に嵌め込まれ、横溝７３；７５の後端部が左係合突起６７および右係合突起６８に衝突した後、収納箱６０が人の操作で下方から上方に移動されると、左係合溝７１の縦溝７４および右係合溝７２の縦溝７６が左係合突起６７および右係合突起６８で誘導されつつ上方に移動し、台側係合機構６１と箱側係合機構６２とが矢印Ｘ１で示す下方から上方への移動による摺接係合によって、収納箱６０が取付台５５に前後方向に抜けないように取り付けられる。このように収納箱６０が取付台５５に取り付けられた状態において、収納箱６０が人の操作で上方から下方に移動されると、左係合溝７１の縦溝７４および右係合溝７２の縦溝７６が左係合突起６７および右係合突起６８で誘導されつつ下方に移動し、縦溝７４；７６の下端部が左係合突起６７および右係合突起６８に衝突した後、収納箱６０が人の操作で前側から後方に移動されると、左係合溝７１の横溝７３および右係合溝７２の横溝７５が左係合突起６７および右係合突起６８で誘導されつつ前側に移して横溝７３；７５から後側に抜けるというように、台側係合機構６１と箱側係合機構６２とが矢印Ｘ２で示す上方から下方への移動による摺接係合によって、収納箱６０が取付台５５から後側に取り外される。
【００１８】
取付台５５の台主体部６６には、プリント配線板からなる台側コネクタ基板７７が、台側係合機構６１の左右の間に位置し、台主体部６６の上部に取り付けられる。台側コネクタ基板７７の下側に向けられた面には、台側コネクタ７８が実装される。台側コネクタ７８のコネクタピンと呼ばれる電気接続端子が、台側コネクタ基板７７におけるプリント配線と呼ばれる箔形状の電線に接続される。台側コネクタ７８の電気接続端子を支持する合成樹脂からなるコネクタボディが、台側コネクタ基板７７の下側の面に接触して固定される。収納箱６０の上側の面には、箱側コネクタ７９を備える。そして、前記のように収納箱６０が、台側係合機構６１と箱側係合機構６２との矢印Ｘ１で示す下方から上方への移動による摺接係合によって取付台５５に取り付けられることによって、台側コネクタ７８と箱側コネクタ７９とが互いに接続され、収納箱６０が、それ以上、上方に移動しないように取付台５５に取り付けられる。その状態において、収納箱６０が人の操作で矢印Ｘ２で示す上方から下方に移動されることによって、上記台側コネクタ７８と箱側コネクタ７９との接続が解除され、箱側係合機構６２が台側係合機構６１から後側に引き抜かれ、収納箱６０が取付台５５から取り外される。
【００１９】
台側ロック機構６３は、台側収納容器８０および複数として２個の介在物６５を備える。台側収納容器８０は、２個の介在物６５を取出不能に格納した構造であって、取付台５５の台主体部６６に設けられる。台側収納容器８０の下部には、ロック挿入孔８１が設けられる。ロック挿入孔８１は、台側収納容器８０に格納された介在物６５が通過しない大きさである。箱側ロック機構６４は、収納箱６０から上方に突出した縦突起部８２と、縦突起部８２の上縁部から前側に突出した横突起部８３とを備え、縦突起部８２の上部および横突起部８３が台側収納容器８０の下部からロック挿入孔８１を経由して台側収納容器８０の内部に挿入されることによって、箱側ロック機構６４が２個の介在物６５と係合する。このように箱側ロック機構６４が、台側収納容器８０に取出不能に格納された２個の介在物６５と係合することによって、収納箱６０が取付台５５から簡単に取り外すことができなくなる。
【００２０】
取付台５５には、箱取出補助機構８４が設けられる。箱取出補助機構８４は、台側コネクタ７８と箱側コネクタ７９とが互いに接続され、収納箱６０が取付台５５に取り付けられた状態において、収納箱６０が取付台５５から取り外される場合、台側コネクタ７８と箱側コネクタ７９との接続を少ない操作力で解除できるように補助するものであって、取手８５の左右両側に一対の回転支持部８６を一方向に突出し、一対の回転支持部８６の前端部からアーム８７を回転支持部８６と直角な一方向に突出し、回転支持部８６を台主体部６６の上部にヒンジ８８で前後方向に回転可能に取り付けた、構造である。収納箱６０の裏面には、補助機構収納部８９が、収納箱６０の裏面から前側に窪む形状に設けられる。そして、台側係合機構６１と箱側係合機構６２とが矢印Ｘ１で示す下方から上方への移動による摺接係合によって、収納箱６０が取付台５５に前後方向に抜けないように取り付けられる場合、収納箱６０の上部がアーム８７を上方に押し上げることによって、取手８５および回転支持部８６がヒンジ８８を中心として前側に回転して補助機構収納部８９に取り込まれる。また、収納箱６０を取付台５５から取り外す場合、人が、治具を使用して箱側ロック機構６４と２個の介在物６５との係合を解除した状態において、取手８５を補助機構収納部８９から取り出すように後側に動かすことによって、アーム８７がヒンジ８８を中心として後側に回転して収納箱６０を下方に押し下げる。これによって、台側コネクタ７８と箱側コネクタ７９との接続が、箱取出補助機構８４によるてこの原理で容易に解除される。治具を使用して箱側ロック機構６４と２個の介在物６５との係合を解除する構造については、図１４および図１５で後述する。取付台５５の台主体部６６には、ねじ挿入孔９０が前後方向への貫通孔としても設けられる。ねじ挿入孔９０は、取付台５５を可動枠３の前壁２３の裏面に取り付けるための止ねじを挿入するための孔である。
【００２１】
図３を参照し、台側ロック機構６３の構造および箱側ロック機構６４の構造について説明する。台主体部６６には、容器取付部９１が、台主体部６６の後縁部から上方に直線的に突出する。容器取付部９１には、ねじ挿入孔９２が、左右方向の両側部に前後方向への貫通孔として設けられる。台側収納容器８０には、ねじ取付孔９３が、２個の介在物６５を格納した台側収納室９４を囲む左右方向の両側部に、前後方向への貫通孔として設けられる。そして、台側収納容器８０の前面が取付台５５の裏側から容器取付部９１の裏面に重ね合わされることによって、ねじ挿入孔９２とねじ取付孔９３とが互いに前後方向で対向する。その後、タッピングスクリューのような止ねじ９５が、取付台５５の前側からねじ挿入孔９２を経由してねじ取付孔９３に締結されることによって、台側収納容器８０が容器取付部９１の裏面に固定される。
【００２２】
図４および図５を参照し、台側ロック機構６３の内部構造について説明する。図４のａ図において、台側収納室９４は、下部室９６および上部室９７を備える。下部室９６は、台側収納容器８０におけるロック挿入孔８１の左側に延びる内側左下面９８と、台側収納容器８０におけるロック挿入孔８１の右側に延びる内側右下面９９と、内側左下面９８の左側部から上方に直線的に延びる内側左面１００と、内側右下面９９の右側部から上方に直線的に延びる内側右面１０１と、内側左下面９８の前側部および内側右下面９９の前側部から上方に直線的に延びる内側前面１０２と、内側左下面９８の後側部および内側右下面９９の後側部から上方に直線的に延びる内側後面１０３（図５参照）とによって囲まれた閉鎖空間として構成される。下部室９６は、２個の介在物６５が、内側左下面９８および内側右下面９９に接触し、左右に並列な状態で、内側左面１００と内側右面１０１と内側前面１０２と内側後面１０３との間に存在するような、大きさである。１個の介在物６５が内側左下面９８と内側左面１００とに接触し、もう１個の介在物６５が内側右下面９９と内側右面１０１とに接触するように、２個の介在物６５が下部室９６に並列になった場合、２個の介在物６５どうしの間に形成された隙間Ｌ１は、箱側ロック機構６４の縦突起部８２における左右方向の横幅Ｌ２および横突起部８３における左右方向の横幅Ｌ３よりも小さい（Ｌ１＜Ｌ２、Ｌ１＜Ｌ３）。縦突起部８２の横幅Ｌ２と横突起部８３の横幅Ｌ３は同じ寸法に設定されている（Ｌ２＝Ｌ３）。
【００２３】
上部室９７は、図４のｂ図において、下部室９６の内側左面１００の上縁部から左側に延びる内側左下面１０４と、下部室９６の内側右面１０１の上縁部から右側に延びる内側右下面１０５と、内側左下面１０４の左側部から上方に直線的に延びる内側左面１０６と、内側右下面９９の右側部から上方に直線的に延びる内側右面１０７と、下部室９６の内側前面１０２から上方に直線的に延びる内側前面１０８と、下部室９６の内側後面１０３から上方に直線的に延びる内側後面１０９（図５参照）とによって、囲まれた閉鎖空間として構成される。内側左下面１０４は、左側から右側にしたがって徐々に下り傾斜となる斜面を構成する。つまり、内側左下面１０４は、内側左下面１０４に接触した介在物６５を左側から右側に誘導する斜面を構成する。内側右下面１０５は、右側から左側にしたがって徐々に下り傾斜となる斜面を構成する。つまり、内側右下面１０５は、内側右下面１０５に接触した介在物６５を右側から左側に誘導する斜面を構成する。上部室９７は、２個の介在物６５が、内側左下面１０４および内側右下面１０５に接触し、左右に並列な状態で、内側左面１０６と内側右面１０７と内側前面１０８と内側後面１０９との間に存在するような、大きさである。１個の介在物６５が内側左下面１０４と内側左面１０６とに接触し、もう１個の介在物６５が内側左下面１０４と内側右面１０７とに接触するように、２個の介在物６５が上部室９７に並列になった場合、２個の介在物６５どうしの間に形成された隙間Ｌ４は、箱側ロック機構６４の縦突起部８２における左右方向の横幅Ｌ２および横突起部８３における左右方向の横幅Ｌ３よりも大きい（Ｌ４＞Ｌ２、Ｌ４＞Ｌ３）。
【００２４】
図５において、台側収納室９４における内側前面１０２および内側前面１０８は互いに１つの垂直な面を構成し、台側収納室９４における内側後面１０３および内側後面１０９は互いに１つの垂直な面を構成し、内側前面１０２および内側前面１０８から構成された１つの垂直な面と、内側後面１０３および内側後面１０９とから構成された１つの垂直な面とは、互いに平行である。そして、介在物６５の直径をＤ１とすると、内側前面１０２；１０８と内側後面１０３；１０９との間の前後方向の寸法から介在物６５の直径Ｄ１を引いた残りの寸法は、Ｌ５である。また、ロック挿入孔８１の前後方向の寸法をＬ６とし、横突起部８３の前後方向の寸法をＬ７とすると、Ｄ１＞Ｌ６＞Ｌ７＞Ｌ５の寸法関係に設定されている。この寸法関係によって、横突起部８３が台側収納容器８０の下方からロック挿入孔８１を経由して台側収納室９４に進入し、箱側ロック機構６４の縦突起部８２の裏面が台側収納室９４の内側後面１０３および内側後面１０９と接触しても、横突起部８３が介在物６５を上方に押し上ることによって、介在物６５が横突起部８３の上方への移動に伴い台側収納室９４の内側前面１０２および内側前面１０８に沿って実線で示す位置から仮想線で示すように上方に移動する。
【００２５】
図８乃至図１２を参照し、収納箱取付装置の作用について説明する。先ず、図８に示すように、発射払出制御装置５７の収納箱６０が人によって取付台５５の後側に配置され、箱取出補助機構８４の取手８５がヒンジ８８を中心として取付台５５から後側に離れるように人によって操作された状態において、箱側ロック機構６４が箱取出補助機構８４における取手８５と一対の回転支持部８６との間の隙間に下方から上方に向けて挿入され、箱側係合機構６２における横溝７３；７５の後側開口が台側係合機構６１の左係合突起６７および右係合突起６８と前後方向で向かい合わせられる。この場合、２個の介在物６５は、台側収納容器８０における下部室９６の内側左下面９８および内側右下面９９の上に接触して搭載されている。
【００２６】
次に、図９に示すように、収納箱６０が人によって取付台５５の台主体部６６に近づくように前側に矢印Ｘ３で示すように直線的に移動されるのに伴い、箱側係合機構６２の横溝７３；７５が台側係合機構６１の左係合突起６７および右係合突起６８に後側から嵌め込まれて直線的な前側への移動によって摺接係合し、横溝７３；７５の後端部が左係合突起６７および右係合突起６８に衝突すると、箱側ロック機構６４が台側収納容器８０のロック挿入孔８１の真下に到達する。
【００２７】
その後、図１０に示すように、収納箱６０が人によって矢印Ｘ４で示すように上方に直線的に移動されるのに伴い、台側係合機構６１の左係合突起６７および右係合突起６８が箱側係合機構６２の横溝７３；７５から縦溝７４；７６に上方からはめ込まれて直線的な上側への移動によって摺接係合する。これによって、箱側ロック機構６４がロック挿入孔８１から台側収納容器８０の内部における下部室９６から上部室９７に向けて進入する。この箱側ロック機構６４が下部室９６から上部室９７に向けて進入する過程において、箱側ロック機構６４の横突起部８３が、２個の介在物６５の間に進入しつつ２個の介在物６５を左右に押し分けつつ押し上げる。この押し上げられた２個の介在物６５における左側の１個の介在物６５は、下部室９６の内側左面１００に誘導されて内側左面１００と上部室９７の内側左下面１０４との連接部分の上に搭載され、右側の１個の介在物６５は、下部室９６の内側右面１０１に誘導されて内側右面１０１と上部室９７の内側右下面１０５との連接部分の上に搭載される。また、収納箱６０の上面が箱取出補助機構８４のアーム８７を上方に押し上げる。図９の矢印Ｘ３と図１０の矢印Ｘ４とが図２に示す矢印Ｘ１を構成する。
【００２８】
引き続き、図１１に示すように、収納箱６０の矢印Ｘ４で示す上方への移動が進行するのに伴い、２個の介在物６５が上方に移動する横突起部８３で左右方向外側に移動する。具体的には、左側の１個の介在物６５が横突起部８３で左外側に移動して上部室９７における左側から右側に下り傾斜の斜面になっている内側左下面１０４を右側から左側に転がりながら登り、右側の１個の介在物６５が横突起部８３で右外側に移動して上部室９７における右側から左側に下り傾斜の斜面になっている内側右下面１０５を左側から右側に転がりながら登る。また、収納箱６０の上面が箱取出補助機構８４のアーム８７をさらに上方に押し上げる。
【００２９】
さらに、図１２に示すように、収納箱６０の矢印Ｘ４で示す上方への移動が進行するのに伴い、横突起部８３が２個の介在物６５における左右方向の直径部分に位置する外側面の相対峙する間に形成された隙間よりも上方に移動する。これによって、２個の介在物６５が内側左下面１０４の傾斜および内側右下面１０５の傾斜により互いに近づく方向に移動しながら横突起部８３の下を通過して上部室９７から下部室９６に落下する。この下部室９６に落下した２個の介在物６５は、箱側ロック機構６４の縦突起部８２と下部室９６の内側左下面９８と内側右下面９９と内側左面１００と内側右面１０１と内側前面１０２とで囲まれて内側左下面９８と内側右下面９９との上に搭載される（図１参照）。また、台側コネクタ７８と箱側コネクタ７９とが互いに嵌め合わされて接続する。また、収納箱６０の上面が箱取出補助機構８４のアーム８７をさらに上方に押し上げ、箱取出補助機構８４の取手８５および回転支持部８６が収納箱６０の補助機構収納部８９に格納される。
【００３０】
したがって、図１３に示すように、箱側ロック機構６４の縦突起部８２の上部および横突起部８３が、台側ロック機構６３における２個の介在物６５を取出不能に収納した台側収納容器８０の内部に挿入され、箱取出補助機構８４の取手８５および回転支持部８６が収納箱６０の補助機構収納部８９に収納され、箱取出補助機構８４のアーム８７が収納箱６０の上面に接触し、台側コネクタ７８と箱側コネクタ７９とが互いに接続された状態となり、収納箱６０が取付台５５に取り付けられる。なお、タッピングスクリューのような止ねじ１１０が取付台５５の裏側からねじ挿入孔９０を経由して可動枠３の前壁２３に締結され、取付台５５が前壁２３の裏面に取り付けられる。
【００３１】
この最良の形態によれば、図１に示すように、箱側ロック機構６４の縦突起部８２の上部および横突起部８３が台側ロック機構６３における２個の介在物６５を取出不能に収納した台側収納容器８０の内部に挿入され、収納箱６０が前壁２３の裏面に設けられた取付台５５に取り付けられた状態において、収納箱６０が仮想線で示す位置から実線で示す位置へと矢印Ｘ２で示す上方から下方への取外方向に移動された場合、横突起部８３が２個の介在物６５に衝突して介在物６５を台側収納容器８０の内部に不動となるように介在物６５と係合する。この横突起部８３の係合により、２個の介在物６５が左右に分かれるように移動し、左側の１個の介在物６５が横突起部８３と内側左下面９８と内側左面１００と内側前面１０２とで挟まれて静止し、右側の１個の介在物６５が横突起部８３と内側右下面９９と内側右面１０１と内側前面１０２とで挟まれて静止し、収納箱６０が取付台５５から取り外されるのを防止するので、収納箱６０を取付台５５から簡単に取り外すことができないという利点がある。
【００３２】
取付台５５の台側ロック機構６３が複数の介在物６５を取出不能に格納した台側収納容器８０からなる機械的な構造物によって形成され、収納箱６０の箱側ロック機構６４が縦突起部８２および横突起部８３とからなる機械的な構造物によって形成されているので、収納箱６０に対する不正な行為を防止する機構が簡素かつ経済的であるという利点がある。また、台側係合機構６１と箱側係合機構６２とが矢印Ｘ１で示す収納箱６０の取付台５５への取付方向である下方から上方への摺接係合による移動によって、収納箱６０が取付台５５に取り付けられるのに伴い、箱側ロック機構６４が台側収納容器８０の内部に挿入されて台側ロック機構６３に嵌め込まれた後は、台側ロック機構６３と箱側ロック機構６４と嵌め合いを解除しようとして、人が収納箱６０を下方に移動しても、横突起部８３が複数の介在物６５を介して台側収納容器８０と係合し、収納箱６０が取付台５５から取り外されないので、収納箱６０を取付台５５から簡単に取り外すことができない。
【００３３】
また、介在物６５として遊技媒体としてのパチンコ球と呼ばれる球体を用いなくてもよいが、遊技機が球体を遊技媒体として使用するパチンコ機のような遊技機の場合において、球体からなる介在物６５として遊技媒体としての球体を用いれば、パチンコ機のような遊技機に収納箱取付装置を安価に適用することができるという利点がある。
【００３４】
図１４および図１５を参照し、図１５に示す台側ロック機構６３と枠側ロック機構６４との係合を解除する場合について説明する。図１４において、治具１１１は、一対であって、棒状の把持部１１２の先端部に手部１１３を把持部１１２から上方に直角に直線的に突出し、手部１１３の上部に指部１１４を手部１１３から外側に湾曲した形態に備える。そして、図１５のａ図に示すように、人が、一対の治具１１１の把持部１１２を手で持ち、手部１１３および指部１１４を台側収納容器８０の下方からロック挿入孔８１を経由して台側収納容器８０の内部に挿入する。その後、図１５のｂ図に示すように、人が、一対の治具１１１を操作し、手部１１３および指部１１４で２個の介在物６５を箱側ロック機構６４の縦突起部８２および横突起部８３から避けるように下部室９６から上部室９７に退避させる。この場合、左側の１個の介在物６５が上部室９７の内側左下面１０４に載り、右側の１個の介在物６５が上部室９７の内側右下面１０５に載る。
【００３５】
その状態において、人が、図２の箱取出補助機構８４と補助機構収納部８９との嵌め合いを解除する。これによって、箱取出補助機構８４のアーム８７がヒンジ８８を中心として後側に回転して収納箱６０を下方に押し下げる。この収納箱６０が押し下げられる過程において、横突起部８３が上部室９７に左右に相対峙して退避している２個の介在物６５の間における隙間を図１５のｂ図の矢印Ｘ５で示す上方から下方に通過してロック挿入孔８１を経由して台側収納容器８０の下方に抜けるとともに、図１に示す台側コネクタ７８と箱側コネクタ７９との接続が解除される。その後、人が、図2に示す台側係合機構６１と箱側係合機構６２との係合を解除するように、収納箱６０を矢印Ｘ２で示す取出方向に移動することによって、収納箱６０が取付台５５から取り外せる。
【産業上の利用可能性】
【００３６】
図１６は、遊技機の収納箱取付装置の別の形態であって、介在物６５は、台側ロック機構６３における上部室９７の内側左下面１０４および内側右下面１０５を一方向に流れる円盤により構成される。この円盤からなる介在物６５としては、遊技媒体としてのメダルと呼ばれる円盤を用いなくてもよいが、遊技機が円盤を遊技媒体として使用するスロットマシンのような遊技機の場合において、円盤からなる介在物６５として遊技媒体としての円盤を用いれば、スロットマシンのような遊技機に収納箱取付装置を安価に適用することができるという利点がある。
【００３７】
図示は省略するが、収納箱６０は、発射払出制御装置５７以外のスピーカから放出される音を制御する音制御装置、表示灯の点灯・点滅・消灯を制御する表示灯制御装置、スピーカから放出される音や表示灯の点灯・点滅・消灯による演出を制御する演出制御または複合制御と呼ばれる制御装置、賞球や貸球を払い出す球払出機構を制御する払出制御装置、発射機構を制御する発射制御装置、主制御装置、交流を直流に変換する電源装置などにおける収納箱であってもよい。取付台５５は、可動枠３以外の遊技盤４１、パチンコ機の遊技機枠１に相当するスロットマシンの筐体、パチンコ機の遊技盤４１に相当するスロットマシンの図柄表示装置に取り付けられて同様に適用することができる。
【００３８】
図２、図７に示す収納箱６０の矢印Ｘ１で示す取付方向は、裏側から前側への移動を取り除いた下方から上方への直線移動だけでもよく、収納箱６０の矢印Ｘ２で示す取外方向は、前側から裏側への移動を取り除いた上方から下方への直線移動だけでもよい。
【図面の簡単な説明】
【００３９】
【図１】遊技機の収納箱取付装置の要部を示し、ａ図は横断面図、ｂ図はａ図のＢ−Ｂ線に相当する縦断面図（最良の形態）。
【図２】遊技機の収納箱取付装置を示す分解斜視図（最良の形態）。
【図３】遊技機の収納箱取付装置の要部を示す分解斜視図（最良の形態）。
【図４】遊技機の収納箱取付装置の内部を示す横断面図（最良の形態）。
【図５】遊技機の収納箱取付装置の内部を示す縦断面図（最良の形態）。
【図６】パチンコ機の遊技機枠と遊技盤とを示す分解斜視図（最良の形態）。
【図７】可動枠を示す斜視図（最良の形態）。
【図８】収納箱を取付台に取り付ける初期状態を示し、ａ図は背面図、ｂ図はａ図のＣ−Ｃ線断面図（最良の形態）。
【図９】横溝と左右係合突起とが互いに嵌合した状態を示し、ａ図は背面図、ｂ図はａ図のＤ−Ｄ線断面図（最良の形態）。
【図１０】縦溝と左右係合突起とが互いに嵌合した状態を示し、ａ図は背面図、ｂ図はａ図のＥ−Ｅ線断面図（最良の形態）。
【図１１】箱側ロック機構が介在物を上方に押し上げた状態を示し、ａ図は背面図、ｂ図はａ図のＦ−Ｆ線断面図（最良の形態）。
【図１２】横突起部が介在物より上方に突出し、介在物が下部室に戻った状態を示し、ａ図は背面図、ｂ図はａ図のＧ−Ｇ線断面図（最良の形態）。
【図１３】台側突起機構と箱側ロック機構とが互いに係合し、収納箱が取付台に取り付けられた状態を示し、ａ図は背面図、ｂ図はａ図のＨ−Ｈ線断面図（最良の形態）。
【図１４】治具を示す斜視図（最良の形態）。
【図１５】治具によって収納箱を取付台から取り外す状態を示し、ａ図は治具を台側収納容器の内部に挿入した初期状態の横断面図、ｂ図は治具で介在物を上部室の方に退避させた状態の横断面図（最良の形態）。
【図１６】遊技機の収納箱取付装置を示し、ａ図は横断面図、ｂ図は縦断面図（別の形態）。
【符号の説明】
【００４０】
５５  取付台
６０  収納箱
６１  台側係合機構
６２  箱側係合機構
６３  台側ロック機構
６４  箱側ロック機構
６５  介在物
８０  台側収納容器
８１  ロック挿入孔
８２  縦突起部
８３  横突起部
【図１】
2006167045.tif 000003
【図２】
2006167045.tif 000004
【図３】
2006167045.tif 000005
【図４】
2006167045.tif 000006
【図５】
2006167045.tif 000007
【図６】
2006167045.tif 000008
【図７】
2006167045.tif 000009
【図８】
2006167045.tif 000010
【図９】
2006167045.tif 000011
【図１０】
2006167045.tif 000012
【図１１】
2006167045.tif 000013
【図１２】
2006167045.tif 000014
【図１３】
2006167045.tif 000015
【図１４】
2006167045.tif 000016
【図１５】
2006167045.tif 000017
【図１６】
2006167045.tif 000018